(57)【要約】【課題】伸張ストランドを組み込んだ衣料品を提供すること。【解決手段】衣料品は、着用者のウエストの周りに延びているウエストバンドを含んでもよい。ウエストバンドは、互いに隣接して置かれている第１層および第２層を有してもよく、ウエストバンドは、第１層と第２層との間に配置されている複数のストランドセグメントを有してもよい。ストランドセグメントはウエストバンドの周りに少なくとも部分的に延びている。さらに、ストランドセグメントは、第１層および第２層の表面に、少なくとも５センチメートルの距離にわたり実質的に平行に置いてもよい。ストランドセグメントは、少なくとも５センチメートルの距離に沿って、第１層および第２層に接着されてもよい。【選択図】図４
2013533397.tif 000002
【特許請求の範囲】
【請求項１】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、
互いに隣接して置かれている第１層および第２層と、
前記第１層と前記第２層との間に配置されている複数のストランドセグメントとを有しており、
前記ストランドセグメントは、前記ウエストバンドの周りに少なくとも部分的に延びており、前記第１層および前記第２層の表面に、少なくとも５センチメートルの距離にわたり実質的に平行に置かれ、前記第１層および前記第２層に前記少なくとも５センチメートルの距離に沿って接着されている、衣料品。
【請求項２】
前記ストランドセグメントは、前記ウエストバンドの少なくとも後部に配置されていることを特徴とする、請求項１に記載の衣料品。
【請求項３】
前記ストランドセグメントは互いに交差していることを特徴とする、請求項１に記載の衣料品。
【請求項４】
前記ストランドセグメントは単一ストランドの部分であることを特徴とする、請求項１に記載の衣料品。
【請求項５】
前記ストランドセグメントの第１群は互いに実質的に平行であり、前記ストランドセグメントの第２群は互いに実質的に平行であり、前記ストランドセグメントの前記第１群は前記ストランドセグメントの前記第２群と交差していることを特徴とする、請求項１に記載の衣料品。
【請求項６】
前記ストランドセグメントの前記第１群は、前記ウエストバンドの後部で前記ストランドセグメントの前記第２群と交差していることを特徴とする、請求項５に記載の衣料品。
【請求項７】
前記第１層と前記第２層との間に熱可塑性ポリマー材料が配置され、前記ストランドセグメントは前記熱可塑性ポリマー材料で前記第１層および前記第２層に接着されることを特徴とする、請求項１に記載の衣料品。
【請求項８】
前記熱可塑性ポリマー材料は、前記ストランドセグメント間に配置されている複数の開き口を画定することを特徴とする、請求項７に記載の衣料品。
【請求項９】
前記第１層および前記第２層は、前記開き口で互いに固定されていないことを特徴とする、請求項８に記載の衣料品。
【請求項１０】
前記骨盤領域は前記ウエストバンドの前部に配置されている少なくとも１つの開き口を画定し、締めひもが前記開き口を通過して延び、前記締めひもは前記ストランドセグメントとは別の要素であることを特徴とする、請求項１に記載の衣料品。
【請求項１１】
前記ストランドセグメントは２ミリメートル未満の厚さを有することを特徴とする、請求項１に記載の衣料品。
【請求項１２】
前記第１層および前記第２層は伸縮性織物地素材であることを特徴とする、請求項１に記載の衣料品。
【請求項１３】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、
互いに隣接して置かれ、前記衣料品の外面および相対する内面の部分を画定する第１層および第２層と、
前記第１層と前記第２層との間に配置されて、前記第１層および前記第２層の表面に、少なくとも５センチメートルの距離にわたり実質的に平行に置かれている複数のストランドセグメントと、
前記第１層と前記第２層との間に配置されて、前記ストランドセグメントを前記第１層および前記第２層に接合する熱可塑性ポリマー材料とを有する、衣料品。
【請求項１４】
前記ストランドセグメントは、前記ウエストバンドの少なくとも後部に配置されていることを特徴とする、請求項１３に記載の衣料品。
【請求項１５】
前記ストランドセグメントは互いに交差していることを特徴とする、請求項１３に記載の衣料品。
【請求項１６】
前記熱可塑性ポリマー材料は、前記ストランドセグメント間の部位には存在しないことを特徴とする、請求項１３に記載の衣料品。
【請求項１７】
前記第１層および前記第２層は、前記ストランドセグメント間の部位で互いに固定されていないことを特徴とする、請求項１６に記載の衣料品。
【請求項１８】
前記骨盤領域は前記ウエストバンドの前部に配置されている少なくとも１つの開き口を画定し、締めひもは前記開き口を通過して延び、前記締めひもは前記ストランドセグメントとは別の要素であることを特徴とする、請求項１３に記載の衣料品。
【請求項１９】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、前部、前記前部に相対して配置される後部、前記前部と前記後部との間に配置される第１側部、および前記第１側部に相対するとともに前記前部と前記後部との間に配置される第２側部を画定し、
前記ウエストバンドは、
互いに隣接して置かれている第１層および第２層と、
前記第１層と前記第２層との間に配置されるとともに、前記第１層および前記第２層の表面に少なくとも５センチメートルの距離にわたり実質的に平行に置かれている複数のストランドセグメントであって、前記ストランドセグメントの第１群は前記第１側部から前記後部まで延びており、前記ストランドセグメントの第２群は前記第２側部から前記後部まで延びており、前記ストランドセグメントの前記第１群は前記後部で前記ストランドセグメントの前記第２群に交差している、前記複数のストランドセグメントとを有する、衣料品。
【請求項２０】
前記ストランドセグメントは単一ストランドの部分であることを特徴とする、請求項１９に記載の衣料品。
【請求項２１】
前記第１層および前記第２層は、前記衣料品の外面および相対する内面の部分を画定することを特徴とする、請求項１９に記載の衣料品。
【請求項２２】
前記ストランドセグメントの前記第１群は互いに実質的に平行であり、前記ストランドセグメントの前記第２群は互いに実質的に平行であることを特徴とする、請求項１９に記載の衣料品。
【請求項２３】
前記第１層と前記第２層との間に熱可塑性ポリマー材料が配置されており、前記ストランドセグメントは前記熱可塑性ポリマー材料で前記第１層および前記第２層に接着されることを特徴とする、請求項１９に記載の衣料品。
【請求項２４】
前記骨盤領域は前記前部に配置されている少なくとも１つの開き口を画定し、締めひもは前記開き口を通過して延び、前記締めひもは前記ストランドセグメントとは別の要素であることを特徴とする、請求項１９に記載の衣料品。
【請求項２５】
着用者の骨盤部を被覆する骨盤領域と、前記着用者の脚部の少なくとも一部を被覆する１組の脚領域とを備える衣料品であって、
前記骨盤領域は、前記着用者のウエストの周りに延びているウエストバンドを含み、
前記ウエストバンドは、
互いに隣接して置かれている第１層および第２層であって、前記第１層および前記第２層を貫通する少なくとも１つの開き口を画定する前記第１層および前記第２層と、
前記第１層の間に配置される複数のストランドセグメントであって、前記ストランドセグメントは前記第１層および前記第２層の表面に実質的に平行に置かれ、前記開き口から外側に延びている、前記複数のストランドセグメントと、
前記開き口を通過して延びる締めひもとを有する、衣料品。
【請求項２６】
前記ウエストバンドは、前記第１層および前記第２層を接合する熱可塑性ポリマー材料を含むことを特徴とする、請求項２５に記載の衣料品。
【請求項２７】
前記締めひもは、前記ストランドセグメントとは別の要素であることを特徴とする、請求項２５に記載の衣料品。
【発明の詳細な説明】
【技術分野】
【０００１】
この発明は伸張ストランドを組み込んだ衣料品に関する。
【背景技術】
【０００２】
衣料品は、異なる部位に異なる特性を与えるために、２種類以上の布地と、他の要素とから形成されることが多い。布地が示してもよい特性の例は、耐摩耗性、通気性、ドレープ、手触り、吸湿性、伸縮性および耐水性を含む。したがって、衣料品の部位に特定の特性を与えるために、衣料品に布地と他の要素との組み合わせを組み込んでもよい。
【発明の概要】
【課題を解決するための手段】
【０００３】
以下に、骨盤領域と１組の脚領域とを含む衣料品を開示する。骨盤領域は着用者の骨盤部を被覆するためのものであり、脚領域は着用者の脚部の少なくとも一部を被覆するためのものである。骨盤領域は着用者のウエストの周りに延びているウエストバンドを含み、ウエストバンドは互いに隣接して置かれている第１層および第２層を有する。ウエストバンドは第１層と第２層との間に配置されている複数のストランドセグメントも含む。ストランドセグメントはウエストバンドの周りに少なくとも部分的に延びており、ストランドセグメントは第１層および第２層の表面に、少なくとも５センチメートルの距離にわたり実質的に平行に置かれている。さらに、ストランドセグメントは少なくとも５センチメートルの距離に沿って、第１層および第２層と接着されている。脚領域は着用者の脚部の少なくとも一部を被覆するためのものである。
【０００４】
本発明の態様を特徴づける新規性の利点および特徴は、添付の請求項で具体的に指摘する。しかし、新規性の利点および特徴の理解を深めるために、本発明に関する様々な実施形態および概念を説明および例示する以下の説明事項および添付の図面を参照してもよい。
上述の本発明の概要および以下の本発明の詳細な説明は、添付の図面と合わせて読むとよりよく理解されるであろう。
【図面の簡単な説明】
【０００５】
【図１】衣料品を着る者の前立面図である。
【図２】衣料品を着る者の後立面図である。
【図３】衣料品の前立面図である。
【図４】衣料品の後立面図である。
【図５】衣料品の第１側立面図である。
【図６】衣料品の第２側立面図である。
【図７】衣料品に利用してもよい第１伸張ストランド要素の平面図である。
【図８】図７に明示した第１伸張ストランド要素の一部の斜視図である。
【図９】第１伸張ストランド要素の一部の分解斜視図である。
【図１０Ａ】図８の断面線１０Ａに明示した第１伸張ストランド要素の一部の断面図である。
【図１０Ｂ】図８の断面線１０Ｂに明示した第１伸張ストランド要素の一部の断面図である。
【図１１】製造装置の斜視図である。
【図１２】製造装置の模式断面図である。
【図１３Ａ】第１伸張ストランド要素の製造工程の斜視図である。
【図１３Ｂ】第１伸張ストランド要素の製造工程の斜視図である。
【図１３Ｃ】第１伸張ストランド要素の製造工程の斜視図である。
【図１３Ｄ】第１伸張ストランド要素の製造工程の斜視図である。
【図１３Ｅ】第１伸張ストランド要素の製造工程の斜視図である。
【図１３Ｆ】第１伸張ストランド要素の製造工程の斜視図である。
【図１３Ｇ】第１伸張ストランド要素の製造工程の斜視図である。
【図１３Ｈ】第１伸張ストランド要素の製造工程の斜視図である。
【図１４Ａ】第１伸張ストランド要素の製造工程の模式断面図である。
【図１４Ｂ】第１伸張ストランド要素の製造工程の模式断面図である。
【図１４Ｃ】第１伸張ストランド要素の製造工程の模式断面図である。
【図１４Ｄ】第１伸張ストランド要素の製造工程の模式断面図である。
【図１４Ｅ】第１伸張ストランド要素の製造工程の模式断面図である。
【図１４Ｆ】第１伸張ストランド要素の製造工程の模式断面図である。
【図１４Ｇ】第１伸張ストランド要素の製造工程の模式断面図である。
【図１４Ｈ】第１伸張ストランド要素の製造工程の模式断面図である。
【図１５】衣料品に利用してもよい第２伸張ストランド要素の平面図である。
【図１６】図１５に明示した第２伸張ストランド要素の一部の斜視図である。
【図１７】第２伸張ストランド要素の一部の分解斜視図である。
【図１８Ａ】図１６の断面線１８Ａに明示した第２伸張ストランド要素の一部の断面図である。
【図１８Ｂ】図１６の断面線１８Ｂに明示した第２伸張ストランド要素の一部の断面図である。
【図１９Ａ】第２伸張ストランド要素の製造工程の斜視図である。
【図１９Ｂ】第２伸張ストランド要素の製造工程の斜視図である。
【図１９Ｃ】第２伸張ストランド要素の製造工程の斜視図である。
【図１９Ｄ】第２伸張ストランド要素の製造工程の斜視図である。
【図１９Ｅ】第２伸張ストランド要素の製造工程の斜視図である。
【図１９Ｆ】第２伸張ストランド要素の製造工程の斜視図である。
【図１９Ｇ】第２伸張ストランド要素の製造工程の斜視図である。
【図１９Ｈ】第２伸張ストランド要素の製造工程の斜視図である。
【図２０Ａ】第２伸張ストランド要素の製造工程の模式断面図である。
【図２０Ｂ】第２伸張ストランド要素の製造工程の模式断面図である。
【図２０Ｃ】第２伸張ストランド要素の製造工程の模式断面図である。
【図２０Ｄ】第２伸張ストランド要素の製造工程の模式断面図である。
【図２０Ｅ】第２伸張ストランド要素の製造工程の模式断面図である。
【図２０Ｆ】第２伸張ストランド要素の製造工程の模式断面図である。
【図２０Ｇ】第２伸張ストランド要素の製造工程の模式断面図である。
【図２０Ｈ】第２伸張ストランド要素の製造工程の模式断面図である。
【図２１】第２衣料品の１組の締めひも要素および締めひもの斜視図である。
【図２２】締めひも要素の分解斜視図である。
【図２３】図２１の断面線２３に明示した締めひも要素の一方の断面図である。
【図２４Ａ】衣料品の別の構成を描いた図２に相当する前立面図である。
【図２４Ｂ】衣料品の別の構成を描いた図２に相当する前立面図である。
【図２４Ｃ】衣料品の別の構成を描いた図２に相当する前立面図である。
【図２４Ｄ】衣料品の別の構成を描いた図２に相当する前立面図である。
【図２５Ａ】第２衣料品の別の構成を描いた図３に相当する後立面図である。
【図２５Ｂ】第２衣料品の別の構成を描いた図３に相当する後立面図である。
【図２６Ａ】第１伸張ストランド要素の別の構成を描いた図１０Ａに相当する断面図である。
【図２６Ｂ】第１伸張ストランド要素の別の構成を描いた図１０Ａに相当する断面図である。
【図２６Ｃ】第１伸張ストランド要素の別の構成を描いた図１０Ａに相当する断面図である。
【図２６Ｄ】第１伸張ストランド要素の別の構成を描いた図１０Ａに相当する断面図である。
【図２６Ｅ】第１伸張ストランド要素の別の構成を描いた図１０Ａに相当する断面図である。
【図２７Ａ】第２伸張ストランド要素の別の構成を描いた図１８Ａに相当する断面図である。
【図２７Ｂ】第２伸張ストランド要素の別の構成を描いた図１８Ａに相当する断面図である。
【図２７Ｃ】第２伸張ストランド要素の別の構成を描いた図１８Ａに相当する断面図である。
【発明を実施するための形態】
【０００６】
以下の考察および添付の図面は、水中・水上活動（例、水泳、サーフィン、シュノーケリング）に利用してもよい１組のボードショーツまたはウォーターショーツの構成を有する衣料品１００を開示する。別の構成では、衣料品１００は、例えば、バスケットボールパンツ、サイクリングパンツ、ランニングパンツ、サッカーパンツ、および水着を含め、運動競技中に利用できる他の種類のショートパンツの構造を有してもよい。衣料品１００に関連する概念は、ドレスパンツ、ジーンズ、ズボン、スカート、スラックス、タイツ、または様々な種類の下着を含め、同様な衣類にも適用してもよい。したがって、衣料品１００に関連する概念は、運動競技および運動競技以外の活動の両方に使用される幅広い衣類スタイルまたは構成に適用してもよい。
【０００７】
一般的な衣料品構造
図１および図２を参照すると、衣料品１００は人１０が着用している状態で図示されている。さらに、人１０がいない状態の衣料品１００の様々な図を図３〜図６に提供する。衣料品１００は一般に、骨盤領域１１０と１組の脚領域１２０とを含む。骨盤領域１１０は人１０の骨盤部の周りに実質的に延びて、これを被覆する構成を有する。脚領域１２０は骨盤領域１１０の反対側から下方に延び、人１０の上側脚部の周りに実質的に延びて、これを被覆する構成を有する。
【０００８】
衣料品１００の大部分は、領域１１０および１２０のそれぞれを画定するために、例えば、縫製、接着剤、接着または熱接着によって接合される様々な布地要素から作られる。布地要素は伸縮性布地または非伸縮性布地のいずれから形成してもよい。衣料品１００に非伸縮性布地要素を利用してもよいが、伸縮性布地要素の利点は、領域１１０および１２０の部分が水中・水上活動または陸上活動中に人１０の動きに適合するように伸縮またはその他の方法で伸びることによって、活動中の制限を少なくし、動きの自由度を高める。布地要素は織物地または編物地のいずれから作ってもよい。衣料品１００に編物地要素を利用してもよいが、織物地要素を利用する利点は高耐久性と、引っ張り力を受けたときに（つまり、引き伸ばされたとき）永久変形する傾向が低いことに関係する。ボードショーツまたはウォーターショーツの構成を有する衣料品１００に利する織物地要素の別の利点は、織物地要素内の糸間の空間が小さいので、少量の水を保持し、水が染み込むため、変形をほとんど示さない傾向があることである。いくつかの構成では、衣料品１００の一部は、様々なアップリケ、転写、当て布、証印、タグ、プル、鳩目または他の美的または機能的な特徴も含んでもよい。
【０００９】
骨盤領域１１０は、人１０の胴部が延びる上部開口部を画定するウエストバンド１１１を含む。ウエストバンド１１１を除き、衣料品１００の大部分はゆったりとした構成を有する。すなわち、衣料品１００は一般に、人１０にぴったり接触するのではなく、着用したときに人１０から空間があくように、または人１０とゆったりとした接触をするように構成されている。締めひも１１２はウエストバンド１１１の前部の様々な開き口１１３を通過して延び、締めひも１１２は開き口１１３間に交差している。衣料品１００を人１０が着用するとき、締めひも１１２を従来のように利用してウエストバンド１１１の円周長さを調整し、それによってウエストバンド１１１を締めたり緩めたりする。すなわち、人１０に衣料品１００を固定するために、締めひも１１２を引っ張って結んでもよく、また人１０が衣料品１００を脱ぐのを助けるために、締めひも１１２を解いて緩めてもよい。締めひも１１２および開き口１１３の組み合わせはウエストバンド１１１の円周長さを調整するために適した構造を提供するが、衣料品１００の他の構成で利用してもよい代替留め具は、ジッパー、スナップ、ボタンまたはフックおよびループ留め具を含む。
【００１０】
様々なストランドセグメント１１４はウエストバンド１１１を通ってその周りに延びて、ウエストバンド１１１の伸長を制限する。ストランドセグメント１１４は締めひも１１２と連動して、ウエストバンド１１１を締めて、衣料品１００を人１０に固定する。図３〜図６を参照すると、ストランドセグメント１１４は、締めひも１１２および開き口１１３がウエストバンド１１１の前部に配置されている部位から外側に、ウエストバンド１１１の側部に向かって延びている。さらに、別のストランドセグメント１１４がウエストバンド１１１の側部から、ウエストバンド１１１の後部まで延びており、そこでこれらストランドセグメント１１４が互いに交差している。一般に、ストランドセグメント１１４は衣料品１００を、特にウエストバンド１１１を形成する布地要素よりも伸縮性が劣っていてもよい。そのため、ストランドセグメント１１４がウエストバンド１１１の周りに延びているのであれば、ストランドセグメント１１４は締めひも１１２を使用して引っ張ってもよい。すなわち、締めひも１１２に張力をかけることによって、ストランドセグメント１１４も張力状態に置かれて、ウエストバンド１１１を締め、衣料品１００を人１０に固定してもよい。そのため、実際には、ストランドセグメント１１４は、衣料品１００に、ウエストバンド１１１の周りに延びている方向の伸長に抵抗する構造的な構成要素を形成する。
【００１１】
第１伸張ストランド要素
衣料品１００に利用してもよい伸張ストランド要素１３０が、図７に描かれている。さらに、図８〜図１０Ｂに、さらなる詳細を提供するために、伸張ストランド要素１３０のより小さい部分を示す。伸張ストランド要素１３０は、ウエストバンド１１１の後部を形成することができる構成を有する。ウエストバンド１１１の前部を形成する他の伸張ストランド要素は同様な構造を有してもよい。代替例として、衣料品１００のいくつかの構成は伸張ストランド要素１３０と同様な構成で、衣料品１００の周り全体に延びており、ウエストバンド１１１の前部、側部および後部を形成する単一の伸張ストランド要素を含んでもよい。
【００１２】
伸張ストランド要素１３０は第１層１３１と、第２層１３２と、１組の固定要素１３３と、様々なストランドセグメント１１４とを含む。衣料品１００に組み込まれるとき、第１層１３１はウエストバンドの外面（つまり、人１０から外側を向く表面）を形成してもよく、第２層１３２はウエストバンド１１１の内面（つまり、人１０の方を向く表面）を形成してもよい。一実施例として、層１３１および１３２のそれぞれは、伸縮性または非伸縮性布地要素のいずれか、および織物地または編物地要素のいずれかを含む布地要素から形成してもよい。また、布地要素は、例えば、ポリアミド、ポリエステル、ナイロン、スパンデックス、毛、絹、綿またはこれらの材料の組み合わせを含む、幅広い範囲の材料から形成してもよい。衣料品１００の大部分は布地要素から形成してもよいが、層１３１および１３２の一方または両方をポリマーシートまたは多様な他の材料から形成してもよい。
【００１３】
固定要素１３３は、（ａ）ストランドセグメント１１４を伸張ストランド要素１３０内に固定するため、および（ｂ）層１３１および１３２を互いに接合するために、層１３１と１３２との間に位置付けられる。固定要素１３３は連続シートでもよいが、図９では、固定要素１３３はストランドセグメント１１４間の部位に開き口または空間を画定するように図示されている。この構成の利点は、固定要素１３３はストランドセグメント１１４が存在しない部位に存在せず、それによってウエストバンド１１１の通気性を高め、ウエストバンド１１１の柔軟性を高め、人１０の形状への適合性を高め、衣料品１００の全体の質量を減少させる。層１３１および１３２は固定要素１３３が存在する部位で互いに固定してもよいが、層１３１および１３２は固定要素１３３が存在しない部位（つまり、開き口または空間）では固定されていなくてもよい。
【００１４】
固定要素１３３は、ポリウレタン、ポリアミド、ポリエステル、ポリオレフィン、またはビニルなど、熱可塑性ポリマー材料のシートとして形成してもよい。一例として、適した熱可塑性ポリマー材料は、アメリカ合衆国マサチューセッツ州シャーリーのＢｅｍｉｓ  Ａｓｓｏｃｉａｔｅｓ，Ｉｎｃ．によって供給されてもよい。加熱すると、固定要素１３３を形成する熱可塑性ポリマー材料は融解またはその他の方法で軟化し、それによってストランドセグメント１１４ならびに層１３１および１３２の構造に浸透してもよい。冷却時、熱可塑性ポリマー材料は硬化またはその他の方法で凝固して、層１３１および１３２をしっかりと接合するとともに、ストランドセグメント１１４を固定する。固定要素１３３は、伸張ストランド要素１３０の構成要素を効果的に接合する接着剤または他の要素に置き換えてもよい。また、ストランドセグメント１１４、第１層１３１または第２層１３２が熱可塑性ポリマー材料または伸張ストランド要素１３０の構成要素を効果的に接合する他の接着剤を組み込む構成では、固定要素１３３は存在しなくてもよい。
【００１５】
ストランドセグメント１１４は固定要素１３３間および層１３１と１３２との間に位置付けて、伸張ストランド要素１３０の中央部を形成する。例えば、図７を参照すると、ストランドセグメント１１４は、伸張ストランド要素１３０全体を繰り返し通る個々のストランドの部分である。すなわち、ストランドセグメント１１４は伸張ストランド要素１３０内の単一ストランドの部分である。別の構成では、ストランドセグメント１１４は、伸張ストランド要素１３０内のストランドの個々の要素または個々のセクションであってもよい。ストランドセグメント１１４に適した材料は、レーヨン、ナイロン、ポリエステル、ポリアクリル酸、絹、綿、炭素、ガラス、アラミド（例、パラ系アラミド繊維およびメタ系アラミド繊維）、超高分子量ポリエチレン、液晶ポリマー、銅、アルミニウムおよび鋼から形成される様々なフィラメント、繊維、ヤーン、糸、綱、またはロープを含む。個々のストランドセグメント１１４は２以上の材料を含んでもよく、異なるストランドセグメント１１４は異なる材料から形成してもよい。ストランドセグメント１１４の厚さは、例えば、０．０３ミリメートルから５ミリメートル超までの範囲で著しく変えてもよいが、一般には２ミリメートル未満である。
【００１６】
ストランドセグメント１１４は、第１層１３１、第２層１３２および固定要素１３３の表面に隣接して置かれている。また、ストランドセグメント１１４は第１層１３１、第２層１３２および固定要素１３３の表面に実質的に平行である。前述したように、ストランドセグメント１１４はウエストバンド１１１の周りに延びて、伸長を制限する。第１層１３１、第２層１３２および固定要素１３３の表面に実質的に平行にすることにより、ストランドセグメント１１４はこれらの表面に対応する方向への伸長に抵抗する。すなわち、ストランドセグメント１１４はウエストバンド１１１の周りに延びる方向への伸長に抵抗する。ストランドセグメント１１４はいくつかの場所で層１３１および１３２の一方または両方を貫通してもよいが（例、縫製の結果として）、ストランドセグメント１１４が層１３１および１３２を貫通する部位は伸長を許容し、それによって伸長を制限するストランドセグメント１１４の全体的な能力を減じる。そのため、ストランドセグメント１１４は、一般に、第１層１３１、第２層１３２および固定要素１３３の表面に隣接し、少なくとも５センチメートル以上の距離にわたりこれに実質的に平行に置かれている。すなわち、ストランドセグメント１１４は層１３１および１３２に平行して、層１３１と１３２との間に少なくとも５センチメートル以上の距離にわたり延びているので、ウエストバンド１１１の伸長を制限する。多くの構成では、ストランドセグメント１１４はまた、層１３１および１３２に、少なくとも５センチメートルの距離に沿って接着されているので、ストランドセグメント１１４が確実に伸張ストランド要素１３０内で正しく位置付けられたままにする。
【００１７】
上記の考察に基づき、第１層１３１および第２層１３２は互いに隣接して置かれ、ストランドセグメント１１４は第１層１３１と第２層１３２との間に配置されている。多様な構成が可能であるが、ストランドセグメント１１４はウエストバンド１１１の周りに少なくとも部分的に延びていてもよい。また、ストランドセグメント１１４は第１層１３１および第２層１３２の表面に、少なくとも５センチメートルの距離にわたり実質的に平行に置かれ、ストランドセグメント１１４は第１層１３１および第２層１３２に、少なくとも５センチメートルの距離に沿って接着されてもよい。
【００１８】
構造的な構成要素
ストランドセグメント１１４は衣料品１００で、ウエストバンド１１１の周りの伸長に抵抗する構造的な構成要素を形成する。伸長に抵抗することによって、ストランドセグメント１１４は、ウエストバンド１１１が引っ張られて衣料品１００を人１０に固定する度合いに対する効果を有する。（ａ）ストランドセグメント１１４の特性、（ｂ）ストランドセグメント１１４がウエストバンド１１１の周りに延びる範囲、ならびに（ｃ）ストランドセグメント１１４の向きおよびレイアウトを含め、様々な要因がストランドセグメント１１４がウエストバンド１１１の伸長に抵抗する能力に影響する。これらの要因のそれぞれを以下で詳細に述べる。
【００１９】
ストランドセグメント１１４の特性は、ストランドセグメント１１４がウエストバンド１１１の伸長に抵抗する能力に影響する。前述したように、ストランドセグメント１１４は様々な材料から形成してもよく、様々な厚さを有してもよい。ストランドセグメント１１４に特定の材料および厚さを選択することにより、衣料品１００のウエストバンド１１１に特別な伸縮度を与えてもよい。また、ストランドセグメント１１４に利用する材料は、例えば、引っ張り強さ、弾性率、質量、および固定要素１３３との接着力に基づいて選択してもよい。
【００２０】
ストランドセグメント１１４がウエストバンド１１１の周りに延びる範囲も、ストランドセグメント１１４がウエストバンド１１１の伸長に抵抗する能力に影響する。ストランドセグメント１１４は、ウエストバンド１１１の円周の実質的に全部の周りに延びているように図示されている。しかし、図５および図６を参照すると、衣料品１００の側部のストランドセグメント１１４間に隙間が図示されている。すなわち、衣料品１００の前部に配置されているストランドセグメント１１４と、衣料品１００の後部に配置されているストランドセグメント１１４との間に隙間が形成されている。ストランドセグメント１１４間のこの隙間は、伸縮性布地要素が隙間に存在するときにウエストバンド１１１のある程度の伸長を許容するので、衣料品１００の着心地を高めることができる。しかし、他の構成では、セグメント１１４間の隙間は存在しなくてもよく、または増やしてもよい。また、非伸縮性布地要素をウエストバンド１１１に組み込む場合には、ストランドセグメント１１４は非伸縮性布地要素の部位には存在しなくてもよい。したがって、ストランドセグメント１１４はウエストバンド１１１の実質的に全部の周りに延びてもよく、または衣料品１００のウエストバンド１１１に特別な伸縮度を与えるように様々な隙間を含んでもよい。
【００２１】
ストランドセグメント１１４の向きおよびレイアウトも、ストランドセグメント１１４がウエストバンド１１１の伸長に抵抗する能力に影響する。ストランドセグメント１１４は、ウエストバンド１１１の周りに延びる方向に対して角度を成すように図示されている。例えば、衣料品１００の前部では、ストランドセグメント１１４は、締めひも１１２および開き口１１３に向かって延びるように下方に角度を成す。衣料品１００の後部では、ストランドセグメント１１４は後部の中心に向かって延びるように下方に角度を成す。ストランドセグメント１１４の角度を付けた構成は、ウエストバンド１１１のある程度の伸長を許容する。比較すると、ストランドセグメント１１４にそれほど角度を付けない構成はより少ない伸長を示し、ストランドセグメント１１４の角度を大きくした構成はさらに大きな伸長を許容するであろう。
【００２２】
ウエストバンド１１１の周りの伸長に抵抗する構造的な構成要素を形成するにあたり、ストランドセグメント１１４は特定の方向または部位の伸長に抵抗するように協働することが多い。図７を参照すると、第１ストランド群１３４および第２ストランド群１３５が特定されている。第１ストランド群１３４は互いに実質的に平行で、衣料品１００の片側から後部の中心に向かって延びている様々なストランドセグメント１１４を含む。第２ストランド群１３５は互いに実質的に平行で、衣料品１００の反対側から後部の中心に向かって延びている様々なストランドセグメント１１４を含む。また、第１ストランド群１３４は後部の中心で第２ストランド群１３５と交差している。一般に、ストランド群１３４および１３５はウエストバンド１１１の反対側からの伸長に抵抗する。さらに、ストランドセグメント１１４がストランド群１３４および１３５のそれぞれで互いに実質的に平行であるならば、ストランドセグメント１１４は特定の方向の伸長に抵抗するようにともに作用する。
【００２３】
第１伸張ストランド要素の製造工程
伸張ストランド要素１３０を製造するために多様な方法を利用してもよい。図１１および図１２を参照すると、製造装置１４０はプレス板１４１とピン板１４２とを含むように図示されている。プレス板１４１は、ピン板１４２の方を向く略平らな面を形成する圧縮可能要素１４３を含む。圧縮可能要素１４３は、例えば、圧縮力を受けたときに圧縮またはその他の方法で変形するポリマー発泡体またはシリコン材料であってもよい。ピン板１４２は、プレス板１４１に面する表面から外側に突出している複数のピン１４４を含む。図１２に図示するように、ピン１４４のそれぞれはばね１４５に載置されている。
【００２４】
伸張ストランド要素１３０の組み付け前に、伸張ストランド要素１３０の様々な構成要素を組み付けて、製造準備をする。例えば、第１層１３１、第２層１３２および固定要素１３３は、例えば、型抜き、手裁断、またはレーザー裁断により所望の寸法に裁断される。ストランドセグメント１１４を形成するのに適した長さのストランドを提供してもよい。さらに、製造装置１４０のプレス板１４１を、様々な構成要素間の接着をもたらすのに適した温度に加熱してもよい。あるいは、板１４１および１４２の両方が加熱素子（例、抵抗加熱器または加熱流体を流すための導管）を組み込んでもよく、または製造装置１４０の外部の輻射ヒータを利用してもよい。
【００２５】
伸張ストランド要素１３０の組み付けに際し、図１３Ａおよび図１４Ａに図示するように、最初に第２層１３２をピン板１４２に配置する。正しく位置付けられる場合、ピン１４４は第２層１３２の周縁の様々な位置で第２層１３２から突出する。第２層１３２が一旦位置付けられると、図１３Ｂおよび図１４Ｂに図示するように、固定要素１３３の１つを第２層１３２に配置して、ピン１４４がそこから突出するようにする。この段階で、図１３Ｃおよび図１４Ｃに図示するように、ストランドセグメント１１４を形成するストランドはピン１４４のいくつかに巻き取られて、第２層１３２および固定要素１３３に対してストランドセグメント１４４を配置する工程を開始する。ストランドはさらに、図１３Ｄおよび図１４Ｄに図示するように、ピン１４４の残りに巻き取られて、ストランドセグメント１１４の位置付けを完了する。ストランドセグメント１１４が一旦正しく位置付けられると、図１３Ｅおよび図１４Ｅに図示するように、他の固定要素１３３がストランドセグメント１１４の上に配置され、図１３Ｆおよび図１４Ｆに図示するように、第１層１３１が位置付けられる。
【００２６】
製造工程のこの段階で、伸張ストランド要素１３０の様々な構成要素がピン板１４２に正しく配列されて組み付けられる。図１３Ｇおよび図１４Ｇに図示するように、プレス板１４１はさらに構成要素に向かって並進し、構成要素を圧縮する。プレス板１４１の下方圧力により、ピン１４４がばね１４５を圧縮させて、ピン板１４２に向かって後退させる。さらに、プレス板１４１は、構成要素を互いに固定するために、伸張ストランド要素１３０の構成要素を加熱する。より具体的には、プレス板１４１からの熱が固定要素１３３の温度を上昇させて、固定要素を形成する熱可塑性ポリマー材料を融解またはその他の方法で軟化して、（ａ）伸張ストランド要素１３０内にストランドセグメント１１４を固定し、および（ｂ）層１３１および１３２を互いに接合する接着剤を形成する。接着が一旦完了すると、図１３Ｈおよび図１４Ｈに図示するように、プレス板１４１はピン板１４２から分離して、伸張ストランド要素１３０の取り出しが可能になる。冷却時、固定要素１３３の熱可塑性ポリマー材料は硬化またはその他の方法で凝固して、層１３１および１３２をしっかり接合し、ストランドセグメント１１４を固定する。
【００２７】
前述したように、圧縮可能要素１４３は、圧縮力を受けた時に圧縮またはその他の方法で変形してもよい。伸張ストランド要素１３０を形成する構成要素の圧縮中、図１４Ｇに図示するように、ストランドセグメント１１４に隣接して位置付けられている第１層１３１の部位は圧縮可能要素１４３に突出する。これが第１層１３１により形成される伸張ストランド要素１３０の表面に一連の突出部を形成する。反対に、第２層１３２が形成する伸張ストランド要素１３０の表面は略平らな構成を呈する。この構造の利点は、第１層１３１によって形成される伸張ストランド要素１３０の表面の突出部が衣料品１００の外部から見え、それによって衣料品１００の美的魅力を高めることである。この構造の別の利点は、第２層１３２によって形成される伸張ストランド要素１３０の表面の平らな構成が内向きで、人１０に接触してもよいので、衣料品１００の着心地を高める比較的滑らかな表面を提供することである。
【００２８】
前述した製造工程は伸張ストランド要素１３０を作り出すのに適した方法を提供するが、多様な他の工程を利用してもよい。例えば、第２層１３２および固定要素１３３の１つに対してストランドセグメント１１４を配置するために、刺繍工程を利用してもよい。一旦ストランドセグメント１１４が位置付けられると、第１カバー層１３１および固定要素１３３の他方がストランドセグメント１１４の上に位置付けられる。それから熱プレスにより要素を互いに接着してもよい。あるいは、ストランドセグメント１１４を配置するために、コンピュータ縫製など、他の縫製工程を利用してもよい。
【００２９】
第２伸張ストランド要素
衣料品１００に利用してもよい別の伸張ストランド要素１５０を、図１５に図示する。さらに、図１６〜図１８Ｂに詳細を提供するために、伸張ストランド要素１５０のより小さい部分を示す。伸張ストランド要素１３０と同様に、伸張ストランド要素１５０はウエストバンド１１１の後部を形成することができる構成を有する。ウエストバンド１１１の前部を形成する他の伸張ストランド要素は同様な構造を有してもよい。代替例として、衣料品１００のいくつかの構成は、伸張ストランド要素１５０と同様な構成で、衣料品１００の周り全体に延びて、ウエストバンド１１１の前部、側部および後部を形成する単一の伸張ストランド要素を含んでもよい。
【００３０】
伸張ストランド要素１５０は、ベース層１５１と、固定要素１５２と、裏当て層１５３と、カバー層１５４と、様々なストランドセグメント１１４とを含む。伸張ストランド要素１５０の様々な構成要素に多様な材料を利用してもよい。しかし、一実施例として、ベース層１５１および裏当て層１５３は、層１３１および１３２について上記述べた布地要素のいずれかを含む布地要素から形成してもよい。同様に、固定要素１５２およびカバー層１５４は、固定要素１３３について上記述べた材料のいずれかを含む、熱可塑性ポリマー材料から形成してもよい。
【００３１】
伸張ストランド要素１５０は、ベース層１５１が他の構成要素を積み重ねる下地を形成する層状構成を有する。固定要素１５２はベース層１５１に接合されて、裏当て層１５３をベース層１５１に効果的に接合する。ストランドセグメント１１４は裏当て層１５３に配置されて、カバー層１５４とともに裏当て層１５３に接合される。そのため、カバー層１５４の部分はストランドセグメント１１４および裏当て層１５３の両方に固定される。
【００３２】
衣料品１００に組み込まれるとき、ベース層１５１はウエストバンド１１１の内面（つまり、人１０の方を向く表面）を形成してもよく、層１５１および１５４はともにウエストバンド１１１の外面（つまり、人１０から外側を向く表面）を形成してもよい。また、多くの熱可塑性ポリマー材料が透明または少なくとも部分的に透明であってもよいのであれば、ストランドセグメント１１４および裏当て層１５３はともにカバー層１５４から見えてもよい。すなわち、ストランドセグメント１１４および裏当て層１５３は衣料品１００の外部から見えてもよい。衣料品１００の美的魅力を高めるために、裏当て層１５３は骨盤領域１１０および脚領域１２０の他の部位を形成するのと同じ材料から形成してもよい。すなわち、裏当て層１５３は領域１１０および１２０と同じ色をしていてもよく、ベース層１５１は異なる材料から形成してもよい。
【００３３】
ベース層１５１は、伸張ストランド要素１５０の幅および長さにわたり連続的に延びている。固定要素１５２、裏当て層１５３およびカバー層１５４も伸張ストランド要素１５０の幅および長さにわたり連続的に延びてもよいが、これらの要素はストランドセグメント１１４間の部位で開き口または空間を画定する。この構成の利点は、固定要素１５２、裏当て層１５３およびカバー層１５４がストランドセグメント１１４が存在しない部位に存在せず、それによってウエストバンド１１１の通気性を高めるとともに、衣料品１００の全体的な質量を減らすことである。
【００３４】
前述したように、カバー層１５４（ならびに固定要素１５２および裏当て層１５３）は、ストランドセグメント１１４間の部位に開き口または空間を画定する。そのため、カバー層１５４の部分は、図１６および図１７に図示するように、１組の相隔たる縁１５５を画定する。この構成では、ストランドセグメント１１４は縁１５５間の実質的に中心に位置する。この構成の利点は、ストランドセグメント１１４が伸張ストランド要素１５０の部分内で中心になることである。さらに、この構成は衣料品１００の全体的な美的魅力を高めるであろう。
【００３５】
ストランドセグメント１１４は、ベース層１５１、裏当て層１５３およびカバー層１５４の表面に隣接して置かれている。また、ストランドセグメント１１４は、ベース層１５１、裏当て層１５３およびカバー層１５４の表面に実質的に平行である。前述したように、ストランドセグメント１１４はウエストバンド１１１の周りに延びて、伸長を制限する。ベース層１５１、裏当て層１５３およびカバー層１５４の表面に実質的に平行にすることにより、ストランドセグメント１１４は、これら表面に対応する方向の伸長に抵抗する。すなわち、ストランドセグメント１１４はウエストバンド１１１の周りに延びる方向の伸長に抵抗する。いくつかの場所では（例、縫製の結果として）、ストランドセグメント１１４はベース層１５１、裏当て層１５３およびカバー層１５４のうちの１以上に貫通してもよいが、ストランドセグメント１１４が貫通する部位は伸長を許容し、それによってストランドセグメント１１４が伸長を制限する全体的な能力を減じる。そのため、ストランドセグメント１１４は、一般に、ベース層１５１、裏当て層１５３およびカバー層１５４の表面に、少なくとも５センチメートル以上の距離にわたり隣接して、実質的に平行に置かれる。すなわち、ストランドセグメント１１４はベース層１５１、裏当て層１５３およびカバー層１５４に平行に、かつベース層１５１、裏当て層１５３およびカバー層１５４の間に少なくとも５センチメートル以上の距離にわたり延びているので、ウエストバンド１１１の伸長を制限する。多くの構成では、ストランドセグメント１１４は層１５３および１５４に、少なくとも５センチメートルの距離に沿って接着されてもいるので、ストランドセグメント１１４が確実に伸張ストランド要素１５０内に正しく位置付けられたままにする。
【００３６】
上記の考察に基づき、固定要素１５２および裏当て層１５３はともに層１５１と１５４との間に延びてもよいが、ベース層１５１およびカバー層１５４は一般に互いに隣接して置かれている。この構成では、カバー層１５４は衣料品１００の外面の一部を形成する。さらに、カバー層１５４は１組の相隔たる縁１５５を画定する。ストランドセグメント１１４は層１５１と１５４との間に配置され、ストランドセグメント１１４はウエストバンド１１１の周りに少なくとも部分的に延びている。ストランドセグメント１１４は、層１５１および１５４の表面に少なくとも５センチメートルの距離にわたり実質的に平行に置かれており、ストランドセグメント１１４は少なくとも５センチメートルの距離にわたり縁１５５間の実質的に中心に位置する。
【００３７】
伸張ストランド要素１４０についての上記の考察と同様に、ストランドセグメント１１４は、ウエストバンド１１１の周りの伸長に抵抗する伸張ストランド要素１５０の構造的な構成要素を形成する。伸長に抵抗することにより、ストランドセグメント１１４は、ウエストバンド１１１が引っ張られて衣料品１００を人１０に固定する度合いに影響する。（ａ）ストランドセグメント１１４の特性、（ｂ）ストランドセグメント１１４がウエストバンド１１１の周りに延びる範囲、および（ｃ）ストランドセグメント１１４の向きおよびレイアウトを含め、様々な要因がストランドセグメント１１４がウエストバンド１１１の伸長に抵抗する能力に影響する。
【００３８】
第２伸張ストランド要素の製造工程
伸張ストランド要素１５０を製造するために様々な方法を利用してもよい。一実施例として、製造装置１４０を利用してもよい。伸張ストランド要素１５０を組み付ける前に、伸張ストランド要素１５０の様々な構成要素を組み付けて、製造準備をする。例えば、ベース層１５１、固定要素１５２、裏当て層１５３およびカバー層１５４は、型抜き、手裁断またはレーザー裁断により所望の寸法に裁断する。ストランドセグメント１１４を形成するのに適した長さのストランドを提供してもよい。さらに、製造装置１４０のプレス板１４１を、様々な構成要素間の接着を実行するのに適した温度に加熱してもよい。
【００３９】
伸張ストランド要素１５０を組み付ける際に、図１９Ａおよび図２０Ａに図示するように、最初にベース層１５１をピン板１４２に配置する。正しく位置付けたら、ピン１４４はベース層１５１の周縁の様々な場所でベース層１５１から突出する。ベース層１５１を一旦位置付けたら、図１９Ｂおよび図２０Ｂに図示するように、固定要素１５２をピン１４４がそこから突出するようにベース層１５１に配置する。同様に、図１９Ｃおよび図２０Ｃに図示するように、裏当て層１５３を、ピン１４４がそこから突出するように固定要素１５２に配置する。この段階で、図１９Ｄおよび図２０Ｄに図示するように、ストランドセグメント１１４を形成するストランドをピン１４４のいくつかに巻きつけて、ストランドセグメント１４４を他の構成要素に対して配置する工程を開始する。それから、図１９Ｅおよび図２０Ｅに図示するように、ストランドをピン１４４の残りに巻きつけて、ストランドセグメント１１４の位置付けを完了する。ストランドセグメント１１４が一旦正しく位置付けられると、図１９Ｆおよび図２０Ｆに図示するように、カバー層１５４がストランドセグメント１１４の上に配置される。
【００４０】
製造工程のこの段階で、伸張ストランド要素１５０の様々な構成要素はピン板１４２に正しく配列されて組み付けられる。それから、図１９Ｇおよび図２０Ｇに図示するように、プレス板１４１は構成要素に向かって並進し、構成要素を圧縮する。プレス板１４１の下方圧力により、ピン１４４がばね１４５を圧縮させて、ピン板１４２に向かって後退させる。さらに、プレス板１４１は伸張ストランド要素１５０の構成要素を加熱して、構成要素を互いに固定する。より具体的には、プレス板１４１からの熱が、固定要素１５２およびカバー層１５４の温度を上昇させて、固定要素１５２およびカバー層１５４を形成する熱可塑性ポリマー材料を融解またはその他の方法で軟化して、構成要素を互いに接着する。伸張ストランド要素１４０について上記述べた手順と同様に、ストランドセグメント１１４に隣接する伸張ストランド要素１５０の部位は圧縮可能要素１４３に突出してもよい。接着が一旦完了すれば、図１９Ｈおよび図２０Ｈに図示するように、プレス板１４１はピン板１４２から分離して、伸張ストランド要素１５０の取り出しが可能になる。冷却時、固定要素１５２およびカバー層１５４の熱可塑性ポリマー材料は硬化またはその他の方法で凝固して、構成要素をしっかり接合するとともに、ストランドセグメント１１４を伸張ストランド要素１５０内に固定する。
【００４１】
締めひも要素
図２１〜図２３に図示する１組の締めひも要素１６０はウエストバンド１１１の前部に配置して、締めひも１１２が延びている様々な開き口１１３を画定する。締めひも要素１６０は、ベース層１６１と、複数のストランドセグメント１６２と、カバー層１６３とを含む。ストランドセグメント１６２を形成するストランドはベース層１６１に縫い付けてもよく、カバー層１６３はストランドセグメント１６２の上に配置して、ベース層１６１およびストランドセグメント１６２の両方に接合してもよい。そのため、ストランドセグメント１６２は層１６１と１６３との間に配置されて、これらに接合される。層１６１および１６３はそれぞれが、布地要素、ポリマーシートおよび他の材料を含む、多様な材料から形成してもよい。
【００４２】
ベース層１６１およびカバー層１６３は様々な開き口１１３を協力して画定する。ストランドセグメント１６２を形成するストランドは、開き口１１３を効果的に補強するために、開き口１１３の周りに縫い付けてもよい。ストランドは開き口１１３から外側に延びて、様々なストランドセグメント１６２を形成してもよい。また、ストランドセグメント１６２は、締めひも１１２が開き口１１３を通過して延びるときに、締めひも１１２からの伸長に協力して抵抗する。ストランドセグメント１６２は開き口１１３から外側に放射状に広がって、それにより締めひも１１２からウエストバンド１１１への力を分散させてもよい。
【００４３】
締めひも要素１６０を製造するためには、多様な方法を利用してもよい。一実施例として、ストランドセグメント１１４をベース層１６１に対して配置するために刺繍工程を利用してもよい。ストランドセグメント１１４が一旦位置付けられたら、カバー層１６３をベース層１６１およびストランドセグメント１１４に接着して、それによってストランドセグメント１１４を各締めひも要素１６０内に固定してもよい。いくつかの工程では、刺繍の前にベース層１６１に熱可塑性材料を追加してもよく、熱可塑性材料は要素を互いに接着するために利用してもよい。他の工程では、熱可塑性材料をカバー層１６３に組み込んでもよく、または層１６１と１６３との間に延びている個別の要素にしてもよい。さらに別の工程では、接着剤または要素を接合する他の方法を利用してもよい。さらに別の工程では、カバー層１６３を、ストランドセグメント１６２を被覆するとともにストランドセグメント１６２をベース層１６１に接着する熱可塑性ポリマー材料のシートから形成してもよい。メシュターに付与され、参照により全体がこれに組み込まれる米国特許番号第７，５７４，８１８号の履物に関して同様な工程が記述されている。刺繍工程の代替例として、ストランドセグメント１１４をベース層１６１に対して配置するために、コンピュータ縫製など、他の縫製工程を利用してもよい。さらに、伸張ストランド要素１３０および１５０の製造工程と同様な工程を利用してもよい。
【００４４】
別の構成
上記述べた衣料品１００の構成、ならびに伸張ストランド要素１３０および１５０の構成は、ウエストバンド１１１の伸長に抵抗するためにストランドセグメント１１４を組み込むのに適した構成の実施例を提供する。伸長に抵抗するまたは他の目的を与える多様な他の構成を利用してもよい。すなわち、様々な衣料品１００の構成および衣料品１００の要素も考えられる。
【００４５】
図２４Ａおよび図２５Ａを参照すると、衣料品１００はストランドセグメント１１４がウエストバンド１１１の周りに実質的に水平に延びている構成を有するように図示されている。すなわち、ストランドセグメント１１４は、ウエストバンド１１１によって画定される上側開口部に略平行な方向に延びている。伸張ストランド要素１３０および１５０のストランドセグメント１１４は角度を成しているが、これらの構成のストランドセグメント１１４は水平に延びている。角度を成したストランドセグメント１１４は、例えば十分な耐伸長性を与えるが、水平向きのストランドセグメントはより強い耐伸長性を与えるであろう。
【００４６】
図２４Ａおよび図２５Ａとはまったく異なる構成として、図２４Ｂはストランドセグメント１１４が波形または非線形構成を呈する構造を図示する。前述したように、ストランドセグメント１１４はウエストバンド１１１の伸長に抵抗するが、ストランドセグメント１１４の非線形部位はウエストバンド１１１にある程度の伸長を許容する。しかし、ストランドセグメント１１４が伸長によってまっすぐに伸びると、その後ストランドセグメント１１４はウエストバンド１１１の伸長に抵抗するであろう。したがって、この構成は最初にある程度の伸縮性を与えるが、その後ストランドセグメント１１４がまっすぐに伸びてしまうと伸長を制限する。
【００４７】
ストランドセグメント１１４がウエストバンド１１１の前部で互いに交差している追加構成を、図２４Ｃに図示する。さらに、図２４Ｄには、ウエストバンド１１１の前部に弾性材料を組み込んだ構成を図示する。この構成では、締めひも１１２はウエストバンド１１１を貫通して、後部まで回り込んでもよく、そこに伸張ストランド要素１３０または１５０のいずれかが存在してもよい。そのように、伸張ストランド要素１３０または１５０の非伸縮特性は、比較的高い伸縮性を示すウエストバンド１１１の部位と連結してもよい。
【００４８】
上記述べた構成はそれぞれ、ウエストバンド１１１にストランドセグメント１１４を組み込んでいる。しかし、ストランドセグメント１１４は衣料品１００の他の部位で利用してもよい。例えば、図２５Ｂを参照すると、ストランドセグメント１１４は領域１１０および１２０の部分に略垂直方向に延びている。別の構成では、ストランドセグメント１１４は衣料品１００の前部に配置してもよく、脚領域１２０に水平に延ばしてもよく、または領域１１０および１２０のいずれかにクロス掛け構成を有してもよい。
【００４９】
伸張ストランド要素１３０の構造に関連する態様は、上記述べた構成から変えてもよい。図２６Ａを参照すると、層１３１と１３２との間に単一の固定要素１３３を位置付けて、（ａ）ストランドセグメント１１４を伸張ストランド要素１３０に固定するため、および（ｂ）層１３１および１３２を互いに接合するために利用している。接着剤を利用する場合、または層１３１および１３２の一方が要素を接合するのに適した熱可塑性ポリマー材料を組み込んでいる場合には、図２６Ｂに図示するように、固定要素１３３は両方とも存在しなくてもよい。刺繍を伴う製造工程を利用する場合、図２６Ｃに図示するように、ストランドセグメント１１４は第２層１３２の反対側に配置してもよい。いくつかの構成では、図２６Ｄに図示するように、ストランドセグメント１１４を露出させてもよく、または図２６Ｅに図示するように、第２層１３２内に埋め込んでもよい。
【００５０】
伸張ストランド要素１３０について上記述べた代替構成の多くは、伸張ストランド要素１５０にも適用してもよい。さらに、図２７Ａは、伸張ストランド要素１５０がベース層１５１と、カバー層１５４と、ストランドセグメント１１４とを含む構成を図示している。そのため、固定要素１５２および裏当て層１５３はいくつかの構成からは省略してもよい。図２７Ｂに図示するように、ストランドセグメント１１４はベース層１５１と裏当て層１５３との間に配置してもよい。さらに、ストランドセグメント１１４をカバー層１５４に埋め込んでいる構成を、図２７Ｃに図示する。
【００５１】
本発明は様々な実施形態を参照して上記および添付の図面で開示する。しかし、開示が果たす目的は、本発明に関係する様々な特徴および概念の実施例を提供することであり、本発明の範囲を制限することではない。当業者には、添付の請求項で定義される本発明の範囲を逸脱することなく、上記説明した実施形態に多数の変更および修正を行えることは認識されるであろう。
【図１】
2013533397.tif 000003
【図２】
2013533397.tif 000004
【図３】
2013533397.tif 000005
【図４】
2013533397.tif 000006
【図５】
2013533397.tif 000007
【図６】
2013533397.tif 000008
【図７】
2013533397.tif 000009
【図８】
2013533397.tif 000010
【図９】
2013533397.tif 000011
【図１０Ａ】
2013533397.tif 000012
【図１０Ｂ】
2013533397.tif 000013
【図１１】
2013533397.tif 000014
【図１２】
2013533397.tif 000015
【図１３Ａ】
2013533397.tif 000016
【図１３Ｂ】
2013533397.tif 000017
【図１３Ｃ】
2013533397.tif 000018
【図１３Ｄ】
2013533397.tif 000019
【図１３Ｅ】
2013533397.tif 000020
【図１３Ｆ】
2013533397.tif 000021
【図１３Ｇ】
2013533397.tif 000022
【図１３Ｈ】
2013533397.tif 000023
【図１４Ａ】
2013533397.tif 000024
【図１４Ｂ】
2013533397.tif 000025
【図１４Ｃ】
2013533397.tif 000026
【図１４Ｄ】
2013533397.tif 000027
【図１４Ｅ】
2013533397.tif 000028
【図１４Ｆ】
2013533397.tif 000029
【図１４Ｇ】
2013533397.tif 000030
【図１４Ｈ】
2013533397.tif 000031
【図１５】
2013533397.tif 000032
【図１６】
2013533397.tif 000033
【図１７】
2013533397.tif 000034
【図１８Ａ】
2013533397.tif 000035
【図１８Ｂ】
2013533397.tif 000036
【図１９Ａ】
2013533397.tif 000037
【図１９Ｂ】
2013533397.tif 000038
【図１９Ｃ】
2013533397.tif 000039
【図１９Ｄ】
2013533397.tif 000040
【図１９Ｅ】
2013533397.tif 000041
【図１９Ｆ】
2013533397.tif 000042
【図１９Ｇ】
2013533397.tif 000043
【図１９Ｈ】
2013533397.tif 000044
【図２０Ａ】
2013533397.tif 000045
【図２０Ｂ】
2013533397.tif 000046
【図２０Ｃ】
2013533397.tif 000047
【図２０Ｄ】
2013533397.tif 000048
【図２０Ｅ】
2013533397.tif 000049
【図２０Ｆ】
2013533397.tif 000050
【図２０Ｇ】
2013533397.tif 000051
【図２０Ｈ】
2013533397.tif 000052
【図２１】
2013533397.tif 000053
【図２２】
2013533397.tif 000054
【図２３】
2013533397.tif 000055
【図２４Ａ】
2013533397.tif 000056
【図２４Ｂ】
2013533397.tif 000057
【図２４Ｃ】
2013533397.tif 000058
【図２４Ｄ】
2013533397.tif 000059
【図２５Ａ】
2013533397.tif 000060
【図２５Ｂ】
2013533397.tif 000061
【図２６Ａ】
2013533397.tif 000062
【図２６Ｂ】
2013533397.tif 000063
【図２６Ｃ】
2013533397.tif 000064
【図２６Ｄ】
2013533397.tif 000065
【図２６Ｅ】
2013533397.tif 000066
【図２７Ａ】
2013533397.tif 000067
【図２７Ｂ】
2013533397.tif 000068
【図２７Ｃ】
2013533397.tif 000069
【国際調査報告】
2013533397.tif 000070
2013533397.tif 000071
2013533397.tif 000072
2013533397.tif 000073